(57)【特許請求の範囲】
【請求項１】
テレビ信号入力用の第１の同軸ケーブルのアース導体が接続される入力接地部と前記第１の同軸ケーブルの芯線が接続される入力導体部とを備えた入力端子と、前記入力接地部と等電位とされ、テレビ信号出力用の第２の同軸ケーブルに接続されたプラグのアース導体が接続される出力接地部と前記入力導体部と電気的に接続され、前記プラグの信号導体が接続される出力導体部とを備えた出力端子と、所定の周期で導通テスト用微小直流電流を出力導体部に送出するとともに出力接地部に流れる直流電流を検出することで前記出力端子に前記プラグが接続されているか否かを検出する検出部と、前記検出部により前記出力端子に前記プラグが接続されていないことが検出されたときは、前記出力導体部と前記出力接地部を電気的接続して前記出力端子を終端し、前記出力端子に前記プラグが検出されていることが検出されたときは、前記出力端子の終端を解除するよう切替える切替部を備えたことを特徴とするテレビコンセント。
【請求項２】
テレビ信号入力用の第１の同軸ケーブルのアース導体が接続される入力接地部と前記第１の同軸ケーブルの芯線が接続される入力導体部とを備えた入力端子と、前記入力接地部と等電位とされ、テレビ信号出力用の第２の同軸ケーブルに接続されたプラグのアース導体が接続される出力接地部と前記入力導体部と電気的に接続され、前記プラグの信号導体が接続される出力導体部とを備えた出力端子とを備えるとともに、終端用抵抗素子が設けられていて一端が出力接地部に回動可能に取り付けられている終端部を、前記出力端子に前記プラグが接続されていない初期状態では他端が出力導体部に電気的に接続されて前記出力導体部と前記出力接地部を電気的に接続して前記出力端子を終端し、前記出力端子に前記プラグが挿入されるとその力により回動して出力導体部との電気的接続を解除して前記終端を解除するように備えたことを特徴とするテレビコンセント。
【請求項３】
テレビ信号入力用の第１の同軸ケーブルのアース導体が接続される入力接地部と、前記第１の同軸ケーブルの芯線が接続される入力導体部とを備えた入力端子と、テレビ信号出力用の第２の同軸ケーブルに接続されたテレビ同軸プラグのアース導体が接続され前記入力接地部と等電位とされる出力接地部と、前記テレビ同軸プラグの信号導体が接続され前記入力導体部と電気的に接続される出力導体部とを備えた出力端子と、前記出力端子を覆う開閉可能なカバーと、前記出力導体部と前記出力接地部とを電気的に接続して前記出力端子を終端させる終端器とを備えるとともに、前記カバーが閉じられ前記プラグが前記出力端子に接続不可能な状態時には前記終端器により前記出力端子を終端させ、前記カバーが開かれていて格納用空間にカバーが格納されているときは、前記終端器による前記出力端子の終端を解除するよう切り換える切替手段として、終端器による出力端子の終端と解除を切替える切替部をカバーの格納空間を介して備えたことを特徴とするテレビコンセント。
【発明の詳細な説明】
【０００１】
【発明の属する技術分野】
本発明は、テレビコンセントに関するものである。
【０００２】
【従来の技術】
従来のテレビコンセントを図１０の正面図、図１１の側面断面図、図１２の裏面図を用いて説明する。
【０００３】
図１０の正面図に示されるように、テレビコンセントの正面側には、入力導体部１、入力接地部である入力接地板２、ケーブル止め金部３、金具止めねじ４により構成される入力端子１０が設けられている。このとき、テレビ放送受信用のアンテナ等との間を接続する図示せぬ第１の同軸ケーブルがケーブル止め金部３と入力接地板２との間に挟持され、２箇所に設けられた金具止めねじ４により固定される。そして、上記第１の同軸ケーブルのアース導体が接地板２により接地され、その芯線が入力導体部１に接続される。
【０００４】
また、テレビコンセントの入力端子１０の配置されていない側には、図１２の裏面図に示されるように出力導体部５と出力接地部である出力接地板７により構成される出力端子２０が設けられている。この出力端子２０には、テレビ受像機の図示しない第２の同軸ケーブルの一端に取り付けられたプラグである公知のテレビ同軸プラグが接続される。このとき、出力接地板７にはテレビ同軸プラグの周囲にあるアース導体が、出力導体部５にはテレビ同軸プラグの中央にある信号導体が接続される。
【０００５】
そして、図１１の側面断面図に示されるように、入力端子１０の入力導体部１は、入力端子１０の裏面側に設けられた出力端子２０の出力導体部５と中継導体６により電気的に接続されるよう結合されており、入力端子１０の入力接地板２は出力端子２０の出力接地板７と結合して等電位とされる。尚、入力接地板２と出力接地板７とは直接結合されていなくてもよい。
【０００６】
これら入力端子１０、出力端子２０はケース８内に収納され、これらにより構成されるテレビコンセントは、入力端子１０よりアンテナなどからのテレビ入力信号を入力し、出力信号２０よりテレビにテレビ出力信号を出力する。
【０００７】
【発明が解決しようとする課題】
このようなテレビコンセントにおいて、出力端子２０に上記したテレビ同軸プラグが接続されていない開放状態であるとき、インピーダンス不整合が起こり、入力端子側に設けられた分配器、分配ブースターなどでインピーダンス不整合による特性劣化が生じる。この特性劣化を防止するために終端をおこなう必要があるが、従来のテレビコンセントは終端機能を持たず、別途終端器を接続する必要があり、コストが余計にかかってしまう。
【０００８】
本発明は上記事由に鑑みて為されたものであり、その目的は終端機能を有するテレビコンセントを提供することにある。
【０００９】
【課題を解決するための手段】
上記課題を解決するために請求項１記載の発明においては、テレビ信号入力用の第１の同軸ケーブルのアース導体が接続される入力接地部と前記第１の同軸ケーブルの芯線が接続される入力導体部とを備えた入力端子と、前記入力接地部と等電位とされ、テレビ信号出力用の第２の同軸ケーブルに接続されたプラグのアース導体が接続される出力接地部と前記入力導体部と電気的に接続され、前記プラグの信号導体が接続される出力導体部とを備えた出力端子と、所定の周期で導通テスト用微小直流電流を出力導体部に送出するとともに出力接地部に流れる直流電流を検出することで前記出力端子に前記プラグが接続されているか否かを検出する検出部と、前記検出部により前記出力端子に前記プラグが接続されていないことが検出されたときは、前記出力導体部と前記出力接地部を電気的接続して前記出力端子を終端し、前記出力端子に前記プラグが検出されていることが検出されたときは、前記出力端子の終端を解除するよう切替える切替部を備えたことを特徴とする。
【００１０】
また、請求項２記載の発明においては、テレビ信号入力用の第１の同軸ケーブルのアース導体が接続される入力接地部と前記第１の同軸ケーブルの芯線が接続される入力導体部とを備えた入力端子と、前記入力接地部と等電位とされ、テレビ信号出力用の第２の同軸ケーブルに接続されたプラグのアース導体が接続される出力接地部と前記入力導体部と電気的に接続され、前記プラグの信号導体が接続される出力導体部とを備えた出力端子とを備えるとともに、終端用抵抗素子が設けられていて一端が出力接地部に回動可能に取り付けられている終端部を、前記出力端子に前記プラグが接続されていない初期状態では他端が出力導体部に電気的に接続されて前記出力導体部と前記出力接地部を電気的に接続して前記出力端子を終端し、前記出力端子に前記プラグが挿入されるとその力により回動して出力導体部との電気的接続を解除して前記終端を解除するように備えたことを特徴とする。
【００１１】
また、請求項３記載の発明においては、テレビ信号入力用の第１の同軸ケーブルのアース導体が接続される入力接地部と、前記第１の同軸ケーブルの芯線が接続される入力導体部とを備えた入力端子と、テレビ信号出力用の第２の同軸ケーブルに接続されたテレビ同軸プラグのアース導体が接続され前記入力接地部と等電位とされる出力接地部と、前記テレビ同軸プラグの信号導体が接続され前記入力導体部と電気的に接続される出力導体部とを備えた出力端子と、前記出力端子を覆う開閉可能なカバーと、前記出力導体部と前記出力接地部とを電気的に接続して前記出力端子を終端させる終端器とを備えるとともに、前記カバーが閉じられ前記プラグが前記出力端子に接続不可能な状態時には前記終端器により前記出力端子を終端させ、前記カバーが開かれていて格納用空間にカバーが格納されているときは、前記終端器による前記出力端子の終端を解除するよう切り換える切替手段として、終端器による出力端子の終端と解除を切替える切替部をカバーの格納空間を介して備えたことを特徴とする。
【００１２】
【発明の実施の形態】
（実施形態１）
図１は、本発明の実施形態１に対応するテレビコンセントの構成を示す断面図である。図１０から図１２までの従来例と同じものには同じ符号を付し、その説明を省略する。本実施形態において従来例と異なるところは、入力導体部１と出力導体部５を接続する中継導体６に直列にコンデンサ１１が接続されている点と、中継導体６と出力接地板７との間に、出力端子２０に上述したテレビ同軸プラグが接続されているか否かを検出して、接続されていないことが検出されたとき出力端子２０を終端し、接続されていることが検出されたときは、出力端子２０の終端を解除するように切替える検出部と切替部とを兼用した検出切替部９が新たに追加されている点である。
【００１３】
このとき、中継導体６とコンデンサ１１により入力導体部１と出力導体部５は交流電流は結合されているが、直流電流は結合されていない。コンデンサ１１は検出切替部９により入力端子１０側の同軸ケーブルの接続状態の有無を誤って検出しないためのものである。
【００１４】
ここで、検出切替部９の詳細を図２を用いて説明する。図２は図１に示したテレビコンセントの要部と検出切替部９の詳細を示したブロック図であり、図１と同じものには同じ符号を付し、その説明を省略する。検出切替部９は商用電源２８から電力供給されるＤＣ外部電源２７より電力供給される。このＤＣ外部電源２７は、テレビコンセントを壁に埋め込むときの施工時に壁に埋め込まれる。
【００１５】
２１は、コンデンサ１１と出力導体部５の間に接続され、所定の周期で導通テスト用微小直流電流を出力導体部５に送出する電流送出回路であり、出力導体部５と出力接地板７の間には接点２５、接点２６が直列に接続されている。また、２２は出力接地板７に流れる直流電流を検出してその検出結果に応じて接点２５を開閉する電流検出回路であり、電流送出回路２１に接続された送信部２３Ａとともにフォトカプラを構成する受信部２３Ｂが接続されている。また、電流検出回路２２には電流送出回路２１に接続された受信部２４Ｂとともにフォトカプラを構成する送信部２４Ａが接続される。
【００１６】
このように構成された検出切替部９の動作を説明する。まず、電流送出回路２１より例えば１０秒周期で導通テスト用の微小直流電流が送出される。電流送出回路２１より電流が送出される直前に、電流送出回路２１からの信号により接点２６が閉じられ、電流が送出されると送信部２３Ａ、受信部２３Ｂを介して光信号により電流検出回路２２に、電流を送出したことを示す送出信号を伝達する。
【００１７】
ここで、図１に示す出力端子２０にテレビ同軸プラグが接続されている場合は、出力導体部５と出力接地板７とがプラグにより電気的に接続されるので、電流送出回路２１→出力導体部５→出力接地板７→電流検出回路２２の順で直流電流が流れる。電流検出回路２２は電流送出回路２１から送出信号が伝達された際にこの直流電流の有無を検出し、直流電流を検出したときは接点２５の開閉制御を行わず、直流電流を検出しないときは出力端子２０にテレビ同軸プラグが接続されていないものとして、接点２５を閉じる。
【００１８】
このとき、送信部２４Ａ、受信部２４Ｂを介して光信号により電流送出回路２１に電流検出信号を伝達し、電流送出回路２１は接点２６を閉じる。これにより、出力端子２０にテレビ同軸プラグが接続されているときは、出力接地板７、接点２５、接点２６、出力導体部５の経路で出力導体部５と出力接地部７とが電気的に接続されて出力端子２０が終端し、そうでない場合は終端が解除された状態となる。ここで、接点２５は一度閉じると開放するタイミングがわからないため、定期的に開放する接点２６を設けている。
【００１９】
このようにして本実施形態では、検出切替部９により、出力端子２０にテレビ同軸プラグが接続されているかどうかを検出して、接続されていないと検出されたときは出力端子２０を終端するようにしているので、出力端子２０が開放状態であることによるインピーダンスの不整合よりおこる分配器や分配ブースターの特性劣化を防止することができる。
（実施形態２）
図３、図４、図５を用いて実施形態２を説明する。図３は出力端子にテレビ同軸プラグ１２が挿入されていないところを示した断面図を、図４は挿入されているところを示した断面図であり、図１１の従来例と同じものには同じ符号を付し、その説明を省略する。図３、図４において従来例と異なる点は、図５の構造図にその詳細を示すように一端に終端用抵抗素子１４Ａが、他端に端部ばね１４Ｂが設けられた終端手段である終端部１４が端部ばね１４Ｂのところで出力接地板７に電気的に接続されると共に、端部ばね１４Ｂを中心に回動可能に取り付けられている点である。
【００２０】
ここで、出力端子２０にテレビ同軸プラグ１２が挿入されていない図３に示す初期状態では、終端部１４の一端に設けられた終端用抵抗素子１４Ａは出力導体部５に電気的に接続されており、出力導体部５と出力接地板７とは終端部１４を介して電気的に接続され出力端子２０が終端されている。このとき、終端部１４は円柱状に形成された出力導体部５に設けられた孔部に挟持されており、その孔部を凹凸の形状として終端部１４を脱着可能に係合している。
【００２１】
この終端部１４の端部ばね１４ＢはＸ方向に付勢されており、図４に示すように一旦出力端子２０にテレビ同軸プラグ１２が挿入されると、アース導体１９が出力接地板７に電気的に接続されると共に、信号導体１３が出力導体部５内に挿入されて、信号導体１３と出力導体部５が電気的に接続される。このとき、信号導体１３が出力導体部５内に挿入されるときの力により押されて、終端部１４が端部ばね１４Ｂを中心にＸ方向に回動し変位する。そして、出力導体部５と終端部１４との電気的接続が解除され、出力端子２０の終端が解除される。
【００２２】
これにより、出力端子２０にテレビ同軸プラグ１２が接続されていない初期状態では、出力端子２０の開放状態によるインピーダンス不整合からおこる分配器、分配ブースターの特性劣化を防止することができ、一旦出力端子２０にテレビ同軸プラグ１２が接続されると自動的に終端が解除される。テレビコンセントは出力端子２０にテレビ同軸プラグ１２が一旦接続されると、その接続が解除されることはまずないため、本実施形態では出力端子２０にテレビ同軸プラグ１２が接続されていない初期状態においてのみ、出力端子２０が終端されるようにしている。
（実施形態３）
図６、図７は実施形態３のテレビコンセントを模式的に示した断面図であり、図１１の従来例と同じものには同じ符号を付し、その説明を省略する。従来例と異なる点は出力端子２０を覆う開閉可能なカバー１７が設けられており、そのカバー１７の開閉に応じて、カバー１７の格納用空間１６を介して設けられた切替手段である切替器１５の作用により終端器１８が回動し、出力端子２０の終端と解除を切替えるように構成されている点である。
【００２３】
このとき、図６はカバー１７が閉じられた状態、すなわち出力端子２０にテレビ同軸プラグが挿入されていない状態であり、出力端子２０は終端器１８により終端されている。また、図７はカバー１７が開いている状態、すなわち出力端子２０にテレビ同軸プラグが挿入されうる状態であり、終端器１８による出力端子２０の終端が解除されている。
【００２４】
次にカバー１７の開閉による出力端子２０の終端とその解除の切替えを図８の断面図、図９の切替器とその周辺の詳細を示した構造図を用いて説明する。図８、図９において図６、図７と同じものには同じ符号を付し、その説明を省略する。終端器１８は抵抗素子１８Ａを備えており、図６の状態ではその一端部１８Ｄが出力接地板７に電気的接続され、その他端部１８Ｃが中継導体６と引掛け係止により電気的接続されている。これにより、出力接地板７と出力導体部５が電気的に接続されて出力端子２０が終端されている。
【００２５】
ここで、図７のようにカバー１７が開けられると、格納用空間１６にカバー１７が格納され、カバー１７の先端部１７Ａにより切替部１５に設けられた押圧検出スイッチ３０が押圧される。この押圧検出スイッチ３０の押圧力は、切替器１５に設けられた機構部３１を介して歯車３２を回転させる回転力に機械的に変換される。そして歯車３２がβ→α方向に回転し終端器１８がＡからＢの位置へ回動する。そのため、終端器１８の他端部１８Ｃと中継導体６の電気的接続が解除され、出力端子２０の終端が解除される。
【００２６】
ここで、カバー１７が閉じられると、先端部１７Ａによる押圧検出スイッチ３０の押圧が解除され、歯車３２がα→β方向に回転して、終端器１８がＢからＡの位置へ回動する。そのため、終端器１８の他端部１８Ｃと中継導体６が再度電気的接続され、出力端子２０が終端される。
【００２７】
このように、本実施形態では、テレビコンセントの出力端子２０を覆うカバー１７が閉じている、すなわち出力端子２０が開放している状態で出力端子２０を終端し、カバー１７が開いている、すなわち出力端子２０にテレビ同軸プラグが接続されうる状態で出力端子２０の終端を解除するので、出力端子２０が開放されることによるインピーダンス不整合からおこる分配器、分配ブースターの特性劣化を防止することができる。
【００２８】
【発明の効果】
本発明の請求項１記載のテレビコンセントにおいては、テレビ信号入力用の第１の同軸ケーブルのアース導体が接続される入力接地部と前記第１の同軸ケーブルの芯線が接続される入力導体部とを備えた入力端子と、前記入力接地部と等電位とされ、テレビ信号出力用の第２の同軸ケーブルに接続されたプラグのアース導体が接続される出力接地部と前記入力導体部と電気的に接続され、前記プラグの信号導体が接続される出力導体部とを備えた出力端子と、所定の周期で導通テスト用微小直流電流を出力導体部に送出するとともに出力接地部に流れる直流電流を検出することで前記出力端子に前記プラグが接続されているか否かを検出する検出部と、前記検出部により前記出力端子に前記プラグが接続されていないことが検出されたときは、前記出力導体部と前記出力接地部を電気的接続して前記出力端子を終端し、前記出力端子に前記プラグが検出されていることが検出されたときは、前記出力端子の終端を解除するよう切替える切替部を備えているため、テレビコンセントの出力端子が開放状態であることによるインピーダンスの不整合よりおこる分配器や分配ブースターの特性劣化を防止することができる。
【００２９】
また、本発明の請求項２記載のテレビコンセントにおいては、テレビ信号入力用の第１の同軸ケーブルのアース導体が接続される入力接地部と前記第１の同軸ケーブルの芯線が接続される入力導体部とを備えた入力端子と、前記入力接地部と等電位とされ、テレビ信号出力用の第２の同軸ケーブルに接続されたプラグのアース導体が接続される出力接地部と前記入力導体部と電気的に接続され、前記プラグの信号導体が接続される出力導体部とを備えた出力端子とを備えるとともに、終端用抵抗素子が設けられていて一端が出力接地部に回動可能に取り付けられている終端部を、前記出力端子に前記プラグが接続されていない初期状態では他端が出力導体部に電気的に接続されて前記出力導体部と前記出力接地部を電気的に接続して前記出力端子を終端し、前記出力端子に前記プラグが挿入されるとその力により回動して出力導体部との電気的接続を解除して前記終端を解除するように備えているため、出力端子にテレビ同軸プラグが接続されていない初期状態では、出力端子の開放状態によるインピーダンス不整合からおこる分配器、分配ブースターの特性劣化を防止することができ、一旦出力端子にプラグが接続されると自動的に終端を解除できる。
【００３０】
また、本発明の請求項３記載のテレビコンセントにおいては、テレビ信号入力用の第１の同軸ケーブルのアース導体が接続される入力接地部と、前記第１の同軸ケーブルの芯線が接続される入力導体部とを備えた入力端子と、テレビ信号出力用の第２の同軸ケーブルに接続されたテレビ同軸プラグのアース導体が接続され前記入力接地部と等電位とされる出力接地部と、前記テレビ同軸プラグの信号導体が接続され前記入力導体部と電気的に接続される出力導体部とを備えた出力端子と、前記出力端子を覆う開閉可能なカバーと、前記出力導体部と前記出力接地部とを電気的に接続して前記出力端子を終端させる終端器とを備えるとともに、前記カバーが閉じられ前記プラグが前記出力端子に接続不可能な状態時には前記終端器により前記出力端子を終端させ、前記カバーが開かれていて格納用空間にカバーが格納されているときは、前記終端器による前記出力端子の終端を解除するよう切り換える切替手段として、終端器による出力端子の終端と解除を切替える切替部をカバーの格納空間を介して備えているため、テレビコンセントの出力端子を覆うカバーが閉じている、すなわち出力端子が開放している状態で出力端子を終端し、カバーが開いている、すなわち出力端子にプラグが接続されうる状態で出力端子の終端を解除するので、出力端子が開放されることによるインピーダンス不整合からおこる分配器、分配ブースターの特性劣化を防止することができる。
【図面の簡単な説明】
【図１】本発明の実施形態１に対応するテレビコンセントの構成を模式的に示した断面図である。
【図２】本発明の実施形態１に対応するテレビコンセントの要部と検出切替部の詳細を示すブロック図である。
【図３】本発明の実施形態２に対応するテレビコンセントの構成を模式的に示した断面図である。
【図４】本発明の実施形態２に対応するプラグの挿入されたテレビコンセントの構成を模式的に示した断面図である。
【図５】本発明の実施形態２に対応するテレビコンセントの終端部の詳細を示す構造図である。
【図６】本発明の実施形態３に対応するカバーの閉じた状態であるテレビコンセントの構成を模式的に示した断面図である。
【図７】本発明の実施形態３に対応するカバーの開いた状態であるテレビコンセントの構成を模式的に示した断面図である。
【図８】本発明の実施形態３に対応するテレビコンセントの終端器周辺の詳細を示した断面図である。
【図９】本発明の実施形態３に対応するテレビコンセントの切替器とその周辺の詳細を示した構造図である。
【図１０】従来のテレビコンセントの構造を示す正面図である。
【図１１】従来のテレビコンセントの構成を模式的に示す断面図である。
【図１２】従来のテレビコンセントの構造を示す裏面図である。
【符号の説明】
１    入力導体部
２    入力接地板
３    ケーブル止め金部
５    出力導体部
６    中継導体
７    出力接地板
８    ケース
９    検出切替部
１０  入力端子
１１  コンデンサ
２０  出力端子
【図１】
0003565066.tif 000002
【図２】
0003565066.tif 000003
【図３】
0003565066.tif 000004
【図４】
0003565066.tif 000005
【図５】
0003565066.tif 000006
【図６】
0003565066.tif 000007
【図７】
0003565066.tif 000008
【図８】
0003565066.tif 000009
【図９】
0003565066.tif 000010
【図１０】
0003565066.tif 000011
【図１１】
0003565066.tif 000012
【図１２】
0003565066.tif 000013